(57)【要約】      （修正有）【課題】セルフロックの機能を実現し、ユーザは、蓋が自動的に開くことを心配せず安心して使用することができ、機能の信頼性が高く、操作が簡単で、設計が合理的で、且つロック解除部材の触感が良いセルフロック機能付きコップの蓋を提供する。【解決手段】セルフロック機能付きコップの蓋は、第１の蓋体１１と、第２の蓋体１２と、ロックボタン１３と、ロック解除部材１４とを含み、ロック解除部材１４が、ロック時にロックボタン１３と第１の蓋体１１との間に当接され、ボタンを押下することができない。【選択図】図１
0003182569.tif 000002
【実用新案登録請求の範囲】
【請求項１】
コップの上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部に係着し、前記ロックボタンの第２端に凸柱が形成され、前記凸柱の周りに復帰ばねが設けられ、前記復帰ばねの第１端が前記ロックボタンに当接するとともに前記第１ばねの第２端が前記第１の蓋体に当接されるロックボタンと、
前記第１の蓋体の上で且つ前記ロックボタンの下端に設けられ、互いに噛み合う解除部品とラチェットギヤとを備える解除部材であって、前記ラチェットギヤが第３枢着軸を介して前記第１の蓋体に枢着され、前記解除部品の第１端がロック時に前記ロックボタンと前記第１の蓋体との間に当接され、前記解除部品の第２端に歯が形成されて前記ラチェットギヤと噛み合う解除部材と、
を含むことを特徴とするセルフロック機能付きコップの蓋。
【請求項２】
前記第１の蓋体において前記ロックボタンの下端に収容溝が形成され、前記解除部品が前記収容溝内に縦方向に摺設され、前記ラチェットギヤの下端に第１凹部と第２凹部とが形成され、前記収容溝の底部には、ロック時に前記第１凹部に係合され、ロック解除時に第２凹部に係合される凸部が対応して形成され、前記ラチェットギヤの側部が前記収容溝を貫通してロック解除シフトブロックを形成することを特徴とする、請求項１に記載のセルフロック機能付きコップの蓋。
【請求項３】
前記第１枢着軸にねじりばねが設けられていることを特徴とする、請求項１に記載のセルフロック機能付きコップの蓋。
【考案の詳細な説明】
【技術分野】
【０００１】
本考案は、蓋に関し、特に、セルフロック機能付きコップの蓋に関するものである。
【背景技術】
【０００２】
トリガー式の保温コップは、使用上便利で、蓋上のオープンボタンを軽く押すだけで、蓋が開かれる。しかしながら、このような保温コップは、開きやすいため、不意に自動的に開くことがしばしばあり、そのため、内部の水が流出し損害が生じてしまう。
【考案の概要】
【考案が解決しようとする課題】
【０００３】
本考案が解決しようとする課題は、構造が簡単で、不意に開くことを避けられるセルフロック機能付きコップの蓋を提供することである。
【課題を解決するための手段】
【０００４】
前記技術的効果を実現するため、本考案に係るセルフロック機能付きコップの蓋は、
コップの上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部に係着し、前記ロックボタンの第２端に凸柱が形成され、前記凸柱の周りに復帰ばねが設けられ、前記復帰ばねの第１端が前記ロックボタンに当接するとともに前記第１ばねの第２端が前記第１の蓋体に当接されるロックボタンと、
前記第１の蓋体の上で且つ前記ロックボタンの下端に設けられ、互いに噛み合う解除部品とラチェットギヤとを備える解除部材であって、前記ラチェットギヤが第３枢着軸を介して前記第１の蓋体に枢着され、前記解除部品の第１端がロック時に前記ロックボタンと前記第１の蓋体との間に当接され、前記解除部品の第２端に歯が形成されるとともに前記ラチェットギヤと噛み合う解除部材とを含む。
【０００５】
本考案は、さらに、以下のように改良されている。前記第１の蓋体において前記ロックボタンの下端に収容溝が形成され、前記解除部品が前記収容溝内に縦方向に摺設され、前記ラチェットギヤの下端に第１凹部と第２凹部が形成され、前記収容溝の底部には、ロック時に前記第１凹部に係合され、ロック解除時に前記第２凹部に係合される凸部が対応して形成され、前記ラチェットギヤの側部が前記収容溝を貫通してロック解除シフトブロックを形成する。
【０００６】
本考案は、さらに、以下のように改良されている。前記第１枢着軸にねじりばねが設けられている。
【０００７】
本考案は、さらに、以下のように改良されている。第１の蓋体の中部が上に向かって延出して飲み口を形成し、前記第２の蓋体の内側に飲み口に対応するＯリングが設けられている。
【考案の効果】
【０００８】
本考案は、以上の技術案を用いることにより、以下の有利な効果を奏する。ロックボタンを押して第１の蓋体及び第２の蓋体のロックを解除することで、第２の蓋体が開かれ、ロックする時にロック解除部材がロックボタンと第１の蓋体との間に当接されることにより、ボタンは押下することができなくなり、第２の蓋はを開くことができず、セルフロックの機能を実現し、ユーザは、蓋が自動的に開くことを心配せず安心して使用することができる。このような構造は、機能の信頼性が高く、操作が簡単で、設計が合理的で、且つロック解除部材の触感が良い。
【図面の簡単な説明】
【０００９】
【図１】本考案に係るセルフロック機能付きコップの蓋を示す構造図。
【図２】図１の一部を拡大して示す構造図。
【図３】本考案に係るセルフロック機能付きコップの蓋の開放過程を示す構造図。
【図４】本考案に係るセルフロック機能付きコップの蓋の開放後の状態を示す構造図。
【考案を実施するための形態】
【００１０】
以下に、添付図面を参照しながら具体的な実施例により本考案を詳細に説明する。
【００１１】
図１に示すように、本考案に係るセルフロック機能付きコップの蓋１は、主に、第１の蓋体１１と、第２の蓋体１２と、ロックボタン１３と、解除部材１４とで構成されている。コップ１０の上部開口端にねじ山が設けられ、第１の蓋体１１の内側にコップ１０の上部のねじ山に対応するねじ山が設けられており、第１の蓋体１１がコップ１０の上部に螺合する。
【００１２】
第１の蓋体１１の第１端１１１が外へ延出して第１枢着部１９１を形成し、第２の蓋体１２の第１端１２１が第１枢着軸１６１を介して第１枢着部１９１に枢着され、第１枢着軸１６１の周りにねじりばねが設けられることにより、第２の蓋体１２が第１枢着軸１６１の回りを第１の蓋体１１上で自動的に回動することができる。第１の蓋体１１の中央部が上に向かって延在して飲み口を形成し、第２の蓋体１２の内側に当該飲み口に対応して密封して漏れを防止するためのＯリング１３０が設けられている。第２の蓋体１２の第２端１２２に第１鉤部１７１が設けられ、第１鉤部１７１の開口が外部に向かって設けられている。
【００１３】
ロックボタン１３には第２枢着部１９２が設けられ、この第２枢着部１９２は第２枢着軸１６２を介して第１の蓋体１１の第２端１１２に枢着している。図２に示すように、ロックボタン１３の第１端１３０１に第２鉤部１７２が形成され、第２鉤部１７２がロック時に第１鉤部１７１に係着され、第２の蓋体１２が開かれないように第２の蓋体１２をロックする。ロックボタン１３の第２端１３０２に凸柱１３１が形成され、凸柱１３１の周りに復帰ばね１８が設けられ、復帰ばね１８の第１端がロックボタン１３の内側に当接され、復帰ばね１８の第２端が第１の蓋体１１の外側に当接されている。ロックボタン１３の凸柱１３１の他方の側に押圧端１３２が突出して形成されている。図３及び図４に示すように、押圧端１３２を押せば、凸柱１３１の復帰ばね１８が圧縮され、ロックボタン１３が第２枢着軸１６２の回りを反時計回りに回転し、第２鉤部１７２と第１鉤部１７１とが係合位置から離脱するようになり、そして、第１枢着軸１６１上のねじりばねの付勢により、第２の蓋体１２が第１枢着軸１６１の回りを自動的に回動して開けられ、ロックボタン１３が復帰ばね１８の付勢により元の位置に復帰することで、蓋１の自動開放の構造を形成する。
【００１４】
さらに、図２に示すように、第１の蓋体１１においてロックボタン１３の下端に収容溝１１３が形成され、ロック解除部材１４が収容溝１１３内に設けられ、ロック解除部材１４は、互いに噛み合う解除部品１４１とラチェットギヤ１４２とを備え、ラチェットギヤ１４２が第３枢着軸１６３を介して第１の蓋体１１の収容溝１１３に枢着され、解除部品１４１が収容溝１１３内に縦方向に摺設され、解除部品１４１の第１端１４１１がロック時にロックボタン１３と前記第１の蓋体１１との間に当接され、解除部品１４１の第２端１４１２に歯が形成されてラチェットギヤ１４２と噛み合う。解除部品１４１が上に向かって移動する有効な移動位置を規制し、解除部品１４１とラチェットギヤ１４２との噛みあいが離脱しないように、収容溝１１３の側壁に解除部品１４１の第１端１４１１に対応する位置規制部１３１１が形成されている。ラチェットギヤ１４２の下端に第１凹部と第２凹部とが形成され、収容溝１１３の底部には、ロック時に第１凹部１４２１に係合され、ロック解除時に第２凹部１４２２に係合される凸部１１３０が対応して形成されることで、ロック解除後の位置決めの役割を果たす。ラチェットギヤ１４２の側部が収容溝１１３の側部を貫通してロック解除シフトブロック１４２０を形成する。
【００１５】
図３及び図４に示すように、ロック解除シフトブロック１４２０を上へ回すと、ラチェットギヤ１４２が第３枢着軸１６３の回りを時計まわりに上へ回転し、それと噛み合う解除部品１４１が収容溝１１３の側壁に沿って下へ移動し、解除部品１４１の第１端１４１１が次第にロックボタン１３の下端から離れていき、ラチェットギヤ１４２の底部の第１凹部１４２１が、収容溝１１３の底部の凸部１１３０と離れ、最終的に解除部品１４１の底部が収容溝１１３の底部に当接し、ラチェットギヤ１４２の底部の第２凹部１４２２が収容溝１１３の底部の凸部１１３０と係合し、ラチェットギヤ１４２が固定され、ロックが解除される。この時に、ロックボタン１３を押せば、第２の蓋体１２が第１枢着軸１６１の周りを自動的に回動して開けられ、便利且つ安全である。
【００１６】
一方、逆の操作は、第２の蓋体１２を第１枢着軸１６１の周りに回転させ、元の位置まで復帰させ、第１鉤部１７１と第２鉤部１７２とを係合位置で係合し、ロック解除シフトブロック１４２０を下へ回すと、ラチェットギヤ１４２が第３枢着軸１６３の回りを反時計まわりに下へ回動し、それと噛むあう解除部品１４１が収容溝１１３の側壁に沿って上へ移動し、解除部品１４１の第１端１４１１がロックボタン１３と第１の蓋体１１の間に戻り、ロックボタン１３に当接し、ロックボタン１３がロックされ、ロックボタン１３を押すことができなくなり、第２の蓋体１２が自動的に開かなくなり、セルフロックの役割を果たし、ユーザは、蓋が自動的に開くことを心配せず安心して使用することができる。このような構造は、機能の信頼性が高く、操作が簡単で、設計が合理的で、且つロック解除部材１４２０の触感が良い。
【符号の説明】
【００１７】
１…セルフロック機能付きコップの蓋、
１０…コップ、
１１…第１の蓋体、
１１１…第１端、
１２…第２の蓋体、
１２１…第１端、
１２２…第２端、
１３…ロックボタン、
１３０１…第１端、
１３０２…第２端、
１３１…凸柱、
１３０…Ｏリング、
１４…解除部材、
１４１…解除部品、
１４２…ラチェットギヤ、
１４１１…第１端、
１４１２…第２端、
１１３…収容溝、
１１３０…凸部、
１３２…押圧端、
１４２０…ロック解除シフトブロック、
１６１…第１枢着軸、
１６２…第２枢着軸、
１６３…第３枢着軸、
１７１…第１鉤部、
１７２…第２鉤部、
１８…復帰ばね、
１９１…第１枢着部、
１９２…第２枢着部。
【図１】
0003182569.tif 000003
【図２】
0003182569.tif 000004
【図３】
0003182569.tif 000005
【図４】
0003182569.tif 000006